(57)【要約】【課題】突出部上で生成される潤滑剤とトナーの混合物の量を適正な量にして、切欠部付近でのトナーの流動性の向上とトナー漏れ抑制の両立を図ることを目的とする。【解決手段】現像装置２８は、筐体５０と、現像ローラ３１と、層厚規制ブレード１００と、サイドシール２００を備える。サイドシール２００は、潤滑剤が塗布され、現像ローラ３１の周面と接触する表層２１０と、表層２１０と筐体５０の間に配置される基層２２０と、表層２１０を基層２２０に接着させる接着層２３０を有する。基層２２０は、接着層２３０よりも軸線方向内側に突出し、ブレードゴム部１２０の切欠部１２１よりも現像ローラ３１の回転方向上流側で、かつ、軸線方向において切欠部１２１の範囲内に位置する部分を有する突出部２２２を有する。筐体５０は、突出部２２２の軸線方向内側の面に接触して当該突出部２２２の位置を規制する突起５４を有する。【選択図】図５
2018060033.tif 000002
【特許請求の範囲】
【請求項１】
筐体と、
回転可能な現像ローラと、
前記現像ローラの周面に接触するブレードゴム部と、前記ブレードゴム部を支持するブレード本体と、を有する層厚規制ブレードと、
前記現像ローラの軸線方向の端部において前記現像ローラの周面に接触するように前記筐体と前記現像ローラとの間に配置されるサイドシールと、を備え、
前記ブレードゴム部は、前記軸線方向の端部に切欠部を有し、
前記サイドシールは、
潤滑剤が塗布され、かつ、前記現像ローラの周面と接触する表層と、
前記表層と前記筐体との間に配置される基層と、
前記表層を前記基層に接着させる接着層と、を有し、
前記基層は、前記接着層よりも前記軸線方向内側に突出する突出部であって、前記切欠部よりも前記現像ローラの回転方向上流側で、かつ、前記軸線方向において前記切欠部の範囲内に位置する部分を有する突出部を有し、
前記筐体は、前記突出部の前記軸線方向内側の面に接触する突起を有することを特徴とする現像装置。
【請求項２】
前記突起は、前記突出部の前記回転方向上流側の端縁よりも前記回転方向下流側の端縁の近くに位置することを特徴とする請求項１に記載の現像装置。
【請求項３】
前記表層は、前記現像ローラと接触する複数本の繊維と、各繊維が植設されたベースシートとを有し、
前記ベースシートは、前記ブレードゴム部よりも前記軸線方向外側に位置し、
前記複数本の繊維のうち一部の繊維は、前記ベースシートの前記軸線方向内側の端縁よりも前記軸線方向内側へ突出して前記突出部に重なっていることを特徴とする請求項１または請求項２に記載の現像装置。
【請求項４】
前記繊維の先端は、前記切欠部の前記軸線方向内側の端部よりも前記軸線方向外側に位置することを特徴とする請求項３に記載の現像装置。
【請求項５】
繊維の先端は、前記突出部の前記軸線方向内側の面よりも前記軸線方向外側に位置することを特徴とする請求項４に記載の現像装置。
【請求項６】
前記複数本の繊維のうち一部の繊維の先端は、前記突出部の前記軸線方向の中央よりも前記軸線方向内側に位置することを特徴とする請求項５に記載の現像装置。
【請求項７】
前記繊維は、前記回転方向下流側に向かうにつれて前記軸線方向内側に位置するように、前記回転方向に対して傾斜していることを特徴とする請求項３から請求項６のいずれか１項に記載の現像装置。
【請求項８】
前記繊維の長さは、１．０ｍｍ以上２．０ｍｍ以下であることを特徴とする請求項３から請求項７のいずれか１項に記載の現像装置。
【請求項９】
前記突出部は、前記切欠部の前記軸線方向内側の端部よりも前記軸線方向外側に位置することを特徴とする請求項１から請求項８のいずれか１項に記載の現像装置。
【請求項１０】
前記基層の前記軸線方向の外側の面は、前記筐体の側壁と接触することを特徴とする請求項１から請求項９のいずれか１項に記載の現像装置。
【請求項１１】
前記表層は、パイル織物であることを特徴とする請求項１から請求項１０のいずれか１項に記載の現像装置。
【請求項１２】
前記現像ローラと接触する供給ローラを更に有し、
前記突起は、前記突出部と前記供給ローラとの間に位置することを特徴とする請求項１から請求項１１のいずれか１項に記載の現像装置。
【発明の詳細な説明】
【技術分野】
【０００１】
本発明は、現像ローラの軸線方向の端部に接触するサイドシールを備えた現像装置に関する。
【背景技術】
【０００２】
従来、現像装置として、トナーが収容される筐体と、筐体に回転可能に保持される現像ローラと、現像ローラに接する層厚規制ブレードと、筐体と現像ローラの端部との間に配置されるサイドシールとを備えるものが知られている（例えば、特許文献１参照）。この現像装置では、層厚規制ブレードが、板金からなるブレード本体と、ブレード本体から突出し、現像ローラに接触するブレードゴム部とを有している。ブレードゴム部には、凹形状の切欠部が形成されている。
【０００３】
サイドシールは、ブレード本体の端部と筐体との間に配置されている。サイドシールは、現像ローラの周面と接触する表層と、当該表層と筐体との間に配置される基層とを有している。基層は、表層よりも現像ローラの軸線方向内側に突出する突出部を有している。突出部は、現像ローラの回転方向において、ブレードゴム部の切欠部の上流側に配置されている。
【先行技術文献】
【特許文献】
【０００４】
【特許文献１】特開２０１５−１０８８００号公報
【発明の概要】
【発明が解決しようとする課題】
【０００５】
ところで、本願出願人は、潤滑剤を表層に塗布し、表層に塗布した潤滑剤を、現像ローラの回転に応じて軸線方向内側の突出部上に移動させる技術を考案している。この技術では、突出部上において潤滑剤とトナーが混合されることで、突出部上に混合物が生成されるので、この混合物でトナー漏れを抑えることが可能となっている。
【０００６】
この技術では、現像ローラの回転方向から見たときの切欠部と突出部との重なり量が大きいほど、混合物の大きさが大きくなる傾向がある。しかしながら、混合物の大きさが大きすぎると、切欠部周辺でのトナーの流動性が悪くなるおそれがあった。また、逆に、混合物の大きさが小さすぎると、混合物によってトナー漏れを良好に抑えることができなくなるおそれがあった。そのため、この技術では、突出部を軸線方向に精度よく位置決めする必要があった。
【０００７】
そこで、本発明は、突出部上で生成される潤滑剤とトナーの混合物の量を適正な量にして、切欠部付近でのトナーの流動性の向上とトナー漏れ抑制の両立を図ることを目的とする。
【課題を解決するための手段】
【０００８】
前記課題を解決するため、本発明に係る現像装置は、筐体と、回転可能な現像ローラと、前記現像ローラの周面に接触するブレードゴム部と、前記ブレードゴム部を支持するブレード本体と、を有する層厚規制ブレードと、前記現像ローラの軸線方向の端部において前記現像ローラの周面に接触するように前記筐体と前記現像ローラとの間に配置されるサイドシールと、を備える。
前記ブレードゴム部は、前記軸線方向の端部に切欠部を有する。
前記サイドシールは、潤滑剤が塗布され、かつ、前記現像ローラの周面と接触する表層と、前記表層と前記筐体との間に配置される基層と、前記表層を前記基層に接着させる接着層と、を有する。
前記基層は、前記接着層よりも前記軸線方向内側に突出する突出部であって、前記切欠部よりも前記現像ローラの回転方向上流側で、かつ、前記軸線方向において前記切欠部の範囲内に位置する部分を有する突出部を有する。
前記筐体は、前記突出部の前記軸線方向内側の面に接触する突起を有する。
【０００９】
この構成によれば、基層の突出部の位置を突起で正確に位置決めすることで、突出部が切欠部に重なる量を正確に管理することができるので、突出部上で生成される潤滑剤とトナーの混合物の量を適正な量にして、切欠部付近でのトナーの流動性の向上とトナー漏れ抑制の両立を図ることができる。
【発明の効果】
【００１０】
本発明によれば、突出部上で生成される潤滑剤とトナーの混合物の量を適正な量にして、切欠部付近でのトナーの流動性の向上とトナー漏れ抑制の両立を図ることができる。
【図面の簡単な説明】
【００１１】
【図１】本発明の一実施形態に係る現像装置を示す断面図である。
【図２】現像装置を分解して示す斜視図である。
【図３】サイドシールを分解して示す斜視図である。
【図４】表層を示す平面図（ａ）と、サイドシール付近の構造を示す断面図（ｂ）である。
【図５】筐体に各部材を組み付けていく過程におけるサイドシールとその周囲の部材との関係を簡略的に示す図（ａ）〜（ｃ）である。
【図６】供給ローラ等を組み付ける前の状態の筐体を開口側から見た正面図（ａ）と斜視図（ｂ）である。
【図７】筐体にサイドシールを取り付けた状態を示す正面図（ａ）と斜視図（ｂ）である。
【図８】筐体にブレード裏シールを貼り付けた状態を示す正面図（ａ）と斜視図（ｂ）である。
【図９】筐体に層厚規制ブレード等を組み付けた状態を示す正面図である。
【発明を実施するための形態】
【００１２】
本発明の一実施形態に係る現像装置ついて、適宜図面を参照しながら詳細に説明する。
図１に示すように、現像装置２８は、プリンタ等の画像形成装置に使用されるものである。現像装置２８は、回転可能な現像ローラ３１と、層厚規制ブレード１００と、回転可能な供給ローラ３３と、トナー収容室３４と、回転可能なアジテータ３４Ａとを備えている。供給ローラ３３は、現像ローラ３１と接触している。
【００１３】
この現像装置２８では、トナー収容室３４内に収容されたトナーが、アジテータ３４Ａで攪拌された後、供給ローラ３３により現像ローラ３１に供給される。この際、トナーは、供給ローラ３３と現像ローラ３１との間で正に摩擦帯電される。現像ローラ３１上に供給されたトナーは、現像ローラ３１の回転に伴って、層厚規制ブレード１００と現像ローラ３１との間に進入する。これにより、トナーは、層厚規制ブレード１００と現像ローラ３１との間でさらに摩擦帯電される。また、現像ローラ３１上のトナーは、層厚規制ブレード１００によって一定厚さの薄層に規制される。
【００１４】
本実施形態におけるトナーは、正帯電非磁性１成分トナーであり、懸濁重合法によって球状に形成したスチレンーアクリル系樹脂に、カーボンブラック等の周知の着色剤および４級アンモニウム塩等の荷電制御性を添加されている。トナー母粒子は、平均粒径が４μｍ〜１０μｍであり、表面にシリカを外添剤として添加されている。なお、トナーとしては、前述した種類のトナーに限定されず、例えば負帯電性のトナーを用いてもよい。
【００１５】
次に、現像装置２８の詳細構造について説明する。
なお、現像装置２８は、現像ローラ３１の軸線方向において略対称な構造であるため、、以降参照する図では、現像ローラ３１の軸線方向の一端側の部位のみを示し、他端側の部位は省略することとする。
【００１６】
図２に示すように、現像装置２８は、前述した現像ローラ３１等を備える他、トナーを収容するための筐体５０と、現像ローラ３１の軸線方向の端部と接触するサイドシール２００と、層厚規制ブレード１００と筐体５０との間に配置されるブレード裏シール３６とを備えている。なお、本実施形態においては、現像ローラ３１は、図２に示した矢印の向き、すなわち、現像ローラ３１の周面がサイドシール２００の表面を、層厚規制ブレード１００から遠い側から近い側に擦る向きで回転するように設けられている。以下の説明では、現像ローラ３１の回転方向を単に「回転方向」とも言う。
【００１７】
現像ローラ３１は、円筒状のローラ部３１Ａと、ローラ部３１Ａを支持する軸部３１Ｂとを有している。ローラ部３１Ａは、弾性を有している。ローラ部３１Ａは、その周面でトナーを担持する。軸部３１Ｂは、ローラ部３１Ａ内を貫通する。軸部３１Ｂは、ローラ部３１Ａよりも現像ローラ３１の軸線方向外側に突出している。
【００１８】
筐体５０は、現像ローラ３１の軸部３１Ｂを回転可能に支持する軸受部５１と、内部のトナー収容室３４から現像ローラ３１にトナーを供給するための開口５２と、サイドシール２００が配置される配置面５３と、サイドシール２００の後述する突出部２２２の位置を規制する突起５４とを有している。軸受部５１は、筐体５０の側壁５６に形成されている。
【００１９】
開口５２は、軸線方向に長い矩形の孔である。開口５２の短手方向の一端側、詳しくは図示上側には、ブレード裏シール３６および層厚規制ブレード１００が配置されている。また、開口５２内には、供給ローラ３３が配置されている。供給ローラ３３は、開口５２の短手方向の他端側、詳しくは図示下側に寄せて配置されている。
【００２０】
なお、以下の説明では、開口５２の短手方向が図面の上下方向に対応していることから、短手方向を「上下方向」とも言う。また、短手方向の一端側を「上側」、短手方向の他端側を「下側」とも言う。また、現像ローラ３１の軸線方向が図面の左右方向に対応していることから、軸線方向を「左右方向」とも言う。また、軸線方向の一端側を「左側」、軸線方向の他端側を「右側」とも言う。さらに、短手方向と軸線方向に直交する直交方向を「前後方向」とも言う。そして、前後方向の一端側、詳しくは開口５２に対して現像ローラ３１が配置される側を「前側」、前後方向の他端側、詳しくは開口５２に対してアジテータ３４Ａが配置される側を「後側」とも言う。
【００２１】
ブレード裏シール３６は、スポンジなどの弾性部材からなる。ブレード裏シール３６は、左右方向に長い長尺状の部材である。ブレード裏シール３６は、左右方向において開口５２よりも大きい。ブレード裏シール３６は、開口５２の左側の端部付近から右側の端部付近まで延びる矩形のベース部３６Ａを有している。ベース部３６Ａの上側の端部には、下側に向けて凹む複数の凹部３６Ｂが形成されている。
【００２２】
ベース部３６Ａの左右方向の各端面には、各端面から左右方向外側に突出する第１部位３６Ｃが設けられている。第１部位３６Ｃは、上下方向の幅がベース部３６Ａよりも小さい。第１部位３６Ｃは、ベース部３６Ａに対して下側に偏った位置に配置されている。
【００２３】
第１部位３６Ｃの左右方向外側の端面には、当該端面から左右方向外側に突出する第２部位３６Ｄが設けられている。第２部位３６Ｄは、上下方向の幅が第１部位３６Ｃよりも小さい。第２部位３６Ｄは、第１部位３６Ｃに対して下側に偏った位置に配置されている。第２部位３６Ｄは、ブレード裏シール３６の左右方向の端部を構成している。第２部位３６Ｄは、開口５２よりも軸線方向外側に位置している（図８（ａ）参照）。
【００２４】
ブレード裏シール３６は、両面テープＴＰによって筐体５０（詳しくは開口５２の上側の部分）に固定されている。両面テープＴＰは、ブレード裏シール３６のベース部３６Ａおよび第１部位３６Ｃに設けられている。両面テープＴＰは、第２部位３６Ｄには設けられていない。これにより、第２部位３６Ｄは、両面テープＴＰによって筐体５０に固定されず、自由に変形することが可能となっている。
【００２５】
層厚規制ブレード１００は、左右方向に延びるブレード本体１１０と、ブレード本体１１０の下側の端部（先端部）に固定されるゴム製のブレードゴム部１２０と、ブレード本体１１０の上側の端部を支持するブレードホルダ１３０とを有している。
【００２６】
ブレード本体１１０は、左右方向に長い略矩形の板金である。ブレード本体１１０の上側の端部は、ブレードホルダ１３０を介して筐体５０に固定されている。ブレード本体１１０の下側の端部は、自由端となっている。
【００２７】
ブレードゴム部１２０は、左右方向に延び、左右方向の大きさがブレード本体１１０よりも小さいゴム部材である。ブレードゴム部１２０は、例えばシリコンゴムやウレタンゴムなどで形成されている。ブレードゴム部１２０は、ブレード本体１１０の下側の端部に設けられている。ブレードゴム部１２０は、ブレード本体１１０の現像ローラ３１に対向する面から突出して現像ローラ３１のローラ部３１Ａの周面に接触している。このブレードゴム部１２０は、現像ローラ３１と接触する面１２０Ａが平面状になっており、回転方向の上流側と下流側の角部が断面視円弧状になっている（図１参照）。
【００２８】
ブレードゴム部１２０は、左右方向の各端部に、切欠部１２１を有している。切欠部１２１は、ブレードゴム部１２０の回転方向上流側の端部から凹むとともに、ブレードゴム部１２０の左右方向における端面１２２から凹んだ形状を有している。
【００２９】
切欠部１２１は、端面１２２の下側の端縁から左右方向内側へ向けて延びる第１面１２３と、第１面１２３から下側へ向けて延びる第２面１２４とを有している。第１面１２３は、左右方向に沿っている。
【００３０】
このような切欠部１２１をブレードゴム部１２０に設けることにより、ブレードゴム部１２０の現像ローラ３１に接触する面１２０Ａと第１面１２３との間の角部は、略直角になっている。また、ブレードゴム部１２０の現像ローラ３１に接触する面１２０Ａと第２面１２４との間の角部も、略直角になっている。言い換えると、ブレードゴム部１２０は、左右方向の各端部に、現像ローラ３１のローラ部３１Ａの周面と接触するエッジ部１２３Ａ（略直角に尖った角部の先端部）を有している。エッジ部１２３Ａは、左右方向に延びるように形成されている。このように尖ったエッジ部１２３Ａでは、ブレードゴム部１２０のエッジ部１２３Ａから左右方向にずれた部位よりも、現像ローラ３１上のトナーを掻き取りやすくなっている。
【００３１】
なお、ブレード本体１１０は、下側の端縁がブレードゴム部１２０に対応した形状に形成されている。また、ブレード本体１１０の左右方向の各端部は、ブレードゴム部１２０よりも左右方向外側まで延びている。
【００３２】
ブレード本体１１０の左右方向の各端部には、矩形のサイドエッジシール１４０が設けられている。サイドエッジシール１４０は、例えば、不織布やスポンジ部材などからなっている。サイドエッジシール１４０は、ブレード本体１１０の表側の面（現像ローラ３１と対向する面）に貼り付けられている。サイドエッジシール１４０は、ブレードゴム部１２０の左右方向の端面１２２と接触している。サイドエッジシール１４０は、端面１２２と隣接する位置から下側に向けて延びている。サイドエッジシール１４０は、ブレード本体１１０よりも下側に延びている。サイドエッジシール１４０の下側の端部は、後述するサイドシール２００上に接触している（図５（ｃ）参照）。
【００３３】
サイドシール２００は、現像ローラ３１の左右方向の端部、詳しくはローラ部３１Ａの左右方向の端部の周面に接触するシールである。サイドシール２００は、配置面５３とローラ部３１Ａとの間に配置されている。
【００３４】
ここで、配置面５３は、開口５２の左右方向の両側に配置されている。図６（ｂ）に示すように、配置面５３の左右方向内側の端部には、突起５４が設けられている。突起５４は、配置面５３から現像ローラ３１側に向けて突出している。
【００３５】
突起５４の回転方向下流側には、配置面５３から現像ローラ３１側に向けて突出する壁部５５が設けられている。壁部５５は、突起５４よりも左右方向外側に位置している。突起５４および壁部５５の配置面５３からの高さは、サイドシール２００の基層２２０の厚さよりも小さい。
【００３６】
また、配置面５３には、凹部５３Ａが形成されている。凹部５３Ａ内には、図２に示すように、供給ローラ３３の図示せぬ軸受を覆うように設けられる供給ローラ用シール６０が設けられている。供給ローラ用シール６０および配置面５３は、サイドシール２００を現像ローラ３１とは反対側から支持している。
【００３７】
図３に示すように、サイドシール２００は、表層２１０と、基層２２０と、表層２１０を基層２２０に接着させる接着層２３０とを有している。表層２１０は、現像ローラ３１のローラ部３１Ａの周面と接触する層である。表層２１０は、現像ローラ３１のローラ部３１Ａと接触する複数本の繊維ＦＢ（図４参照）からなる繊維層２１１と、各繊維ＦＢが植設されたベースシート２１２とを有している。詳しくは、表層２１０は、パイル織物であり、ループ状のパイルをカットすることによって、繊維ＦＢ（カットパイル）が、下地としてのベースシート２１２から突出するように形成されている。
【００３８】
ベースシート２１２は、例えば布などからなっている。ベースシート２１２は、現像ローラ３１の回転方向に沿って延びる矩形の第１シート部２１２Ａと、第１シート部２１２Ａから回転方向上流側に向けて延びる第２シート部２１２Ｂとを有している。第２シート部２１２Ｂは、左右方向の幅が第１シート部２１２Ａよりも小さい。第２シート部２１２Ｂは、回転方向の長さが第１シート部２１２Ａよりも小さい。第２シート部２１２Ｂは、第１シート部２１２Ａに対して左右方向内側に偏って配置されている（図５（ａ）参照）。
【００３９】
接着層２３０は、ベースシート２１２の基層２２０側の面に塗布される接着剤からなっている。接着層２３０は、ベースシート２１２の基層２２０側の面の一部、詳しくは、当該面のうち回転方向下流側の部分に形成されている。つまり、ベースシート２１２のうち、回転方向下流側の部分は、基層２２０に接着され、回転方向上流側の部分は、基層２２０に接着されていない。接着層２３０の平面視の形状は、矩形となっている。なお、接着層２３０は、例えば両面テープから構成されていてもよい。
【００４０】
基層２２０は、例えばウレタンスポンジなどの弾性体からなっている。基層２２０は、表層２１０と筐体５０との間に配置されている。基層２２０は、接着層２３０が設けられる領域ＡＲを主に有するベース部２２１と、ベース部２２１から左右方向内側に向けて突出する突出部２２２とを有している。ベース部２２１は、回転方向に長い矩形の第１ベース部２２１Ａと、第１ベース部２２１Ａから回転方向上流側に向けて突出する第２ベース部２２１Ｂと、第１ベース部２２１Ａから回転方向下流側に向けて突出する第３ベース部２２１Ｃと、第３ベース部２２１Ｃから回転方向下流側に向けて突出する第４ベース部２２１Ｄとを有している。
【００４１】
第１ベース部２２１Ａは、左右方向の幅が第１幅となっている。第２ベース部２２１Ｂは、左右方向の幅が第１幅より小さい第２幅となっている。第２ベース部２２１Ｂは、第１ベース部２２１Ａに対して左右方向内側に偏って配置されている。
【００４２】
第３ベース部２２１Ｃは、左右方向の幅が第１幅より小さく、かつ、第２幅より大きい第３幅となっている。第３ベース部２２１Ｃは、第１ベース部２２１Ａに対して左右方向内側に偏って配置されている。第４ベース部２２１Ｄは、左右方向の幅が第２幅よりも小さい第４幅となっている。第４ベース部２２１Ｄは、第３ベース部２２１Ｃの左右方向の略中央に配置されている。
【００４３】
突出部２２２は、接着層２３０が接着される領域ＡＲ、つまり接着層２３０よりも左右方向内側に突出している。言い換えると、突出部２２２は、ベースシート２１２よりも左右方向内側に突出している（図４（ｂ）参照）。突出部２２２は、領域ＡＲからの突出量が第１突出量となる第１突出部２２２Ａと、領域ＡＲからの突出量が第１突出量よりも小さい第２突出量となる第２突出部２２２Ｂとを有している。第２突出部２２２Ｂは、第１突出部２２２Ａの回転方向上流側に隣接している。第２突出部２２２Ｂは、回転方向の長さが第１突出部２２２Ａよりも短い。
【００４４】
図４（ａ），（ｂ）に示すように、複数の繊維ＦＢは、基端部がベースシート２１２の接着層２３０とは反対側の面に固定されている。各繊維ＦＢは、その先端が回転方向下流側および左右方向内側を向くように、ベースシート２１２に対して倒された状態となっている。言い換えると、各繊維ＦＢは、回転方向下流側に向かうにつれて左右方向内側に位置するように、回転方向に対して傾斜している。そして、複数本の繊維ＦＢのうち一部の繊維ＦＢ、詳しくは左右方向の最も内側に位置する繊維ＦＢは、ベースシート２１２の左右方向内側の端縁よりも左右方向内側へ突出している。そして、左右方向の最も内側に位置する繊維ＦＢは、表層２１０から基層２２０に向かう方向から見て、突出部２２２に重なっている（図５（ａ）も参照）。
【００４５】
詳しくは、左右方向の最も内側に位置する繊維ＦＢの先端は、突出部２２２のうち最も左右方向内側に位置する面、つまり第１突出部２２２Ａの左右方向内側の面よりも左右方向外側に位置している。また、左右方向の最も内側に位置する繊維ＦＢの先端は、突出部２２２の左右方向の中央よりも左右方向内側に位置している。ここで、図４（ｂ）においては、便宜上、突出部２２２の左右方向の中央を、一点鎖線で示している。
【００４６】
各繊維ＦＢの長さ、詳しくはベースシート２１２から繊維ＦＢの先端までの長さは、例えば１．０ｍｍ以上２．０ｍｍ以下とすることができる。また、複数の繊維ＦＢには、潤滑剤が塗布されている。
【００４７】
なお、潤滑剤は、現像装置２８の製造時において、複数の繊維ＦＢのうち少なくとも左右方向外側の一部に塗布されていればよい。この場合、潤滑剤は、製造完了後に現像ローラ３１を回転させることによりサイドシール２００の表面全体や壁部５５に広げられるようになっている。より詳細に、潤滑剤は、現像ローラ３１が回転することで、複数の繊維ＦＢに沿って左右方向内側および回転方向下流側に移動して、突出部２２２や壁部５５まで広げられるようになっている。なお、潤滑剤は、現像装置２８の製造時において、表層２１０の表面全体に塗布されていてもよい。
【００４８】
潤滑剤としては、例えばフッ素系樹脂とフッ素油とを溶媒中に分散させたものを用いることができる。なお、潤滑剤として、シリコングリスや耐熱性フッ素グリスのようなフッ素を含んだものを用いてもよい。
【００４９】
また、基層２２０の左右方向の外側の面（詳しくは、第１ベース部２２１Ａの左右方向外側の面）は、筐体５０の側壁５６と接触している。
【００５０】
図５（ａ）〜（ｃ）に示す図は、筐体５０に各部材を組み付けていく過程におけるサイドシール２００とその周囲の部材との関係を簡略的に示す図である。なお、図５（ａ）〜（ｃ）においては、便宜上、サイドシール２００を現像ローラ３１の周面に沿って曲げずに真っすぐ引き延ばした状態で図示している。
【００５１】
図５（ａ）は、図示せぬ筐体５０にサイドシール２００とブレード裏シール３６を組み付けた状態を示す簡略的に示す図である。この状態において、サイドシール２００の基層２２０の第４ベース部２２１Ｄは、ブレード裏シール３６の端部である第２部位３６Ｄに接触している。詳しくは、第４ベース部２２１Ｄの左右方向内側の面が、第２部位３６Ｄに接触している。
【００５２】
また、この状態において、突起５４は、突出部２２２の左右方向内側の面に接触している。詳しくは、突起５４は、突出部２２２の回転方向上流側の端縁よりも回転方向下流側の端縁の近くに位置している。言い換えると、回転方向において、突起５４から突出部２２２の回転方向下流側の端縁までの距離が、突起５４から突出部２２２の回転方向上流側の端縁までの距離よりも小さい。より具体的には、突起５４は、第１突出部２２２Ａの回転方向下流側の端部に接触している。
【００５３】
また、この状態において、壁部５５は、ベース部２２１から左右方向に離れている。さらに、壁部５５は、突出部２２２の回転方向下流側の面に接触している。これにより、突出部２２２の回転方向の位置が壁部５５で規制されている。
【００５４】
なお、図７（ａ），（ｂ）に示すように、筐体５０に供給ローラ３３を組み付けた状態では、突起５４は、左右方向において、突出部２２２と供給ローラ３３との間に位置している。
【００５５】
図５（ｂ）は、サイドシール２００およびブレード裏シール３６の表側から層厚規制ブレード１００を筐体５０に組み付けた状態を簡略的に示す図である。この状態において、ベースシート２１２は、ブレードゴム部１２０よりも左右方向外側に位置している。ここで、「ブレードゴム部１２０よりも左右方向外側に位置する」とは、図５（ｂ）に示すような、ベースシート２１２の左右方向内側の端縁とブレードゴム部１２０の左右方向の端面１２２とが左右方向で同じ位置であるものも含む。
【００５６】
また、この状態において、突出部２２２は、エッジ部１２３Ａよりも回転方向上流側で、かつ、左右方向においてエッジ部１２３Ａの範囲内に位置する部分を有している。詳しくは、突出部２２２は、エッジ部１２３Ａの左右方向内側の端部よりも左右方向外側に位置している。
【００５７】
また、突出部２２２の回転方向下流側の端面は、回転方向において、切欠部１２１に近い位置に配置されている。詳しくは、切欠部１２１のエッジ部１２３Ａと突出部２２２の回転方向における間隔は、例えば１．５ｍｍ以上３．５ｍｍ以下とすることができる。
【００５８】
また、図５（ｂ）の状態において、左右方向の最も内側に位置する繊維ＦＢの先端は、エッジ部１２３Ａの左右方向内側の端部よりも左右方向外側に位置している。さらに、図５（ｂ）の状態において、壁部５５は、層厚規制ブレード１００の後側（裏側）に配置される。また、壁部５５は、層厚規制ブレード１００に対して前後方向に間隔を空けて配置される。
【００５９】
壁部５５は、左右方向において、切欠部１２１の範囲内に設けられている。壁部５５の一部は、回転方向において、切欠部１２１の範囲内に設けられている。壁部５５は、左右方向内側の端部が、切欠部１２１の左右方向内側の端部である第２面１２４よりも左右方向外側に配置されている。
【００６０】
図５（ｃ）は、層厚規制ブレード１００およびサイドシール２００にサイドエッジシール１４０を取り付けた状態を簡略的に示す図である。この状態において、サイドエッジシール１４０は、ブレード本体１１０、表層２１０および基層２２０の一部を覆うように、ブレード本体１１０からサイドシール２００まで延びている。
【００６１】
次に、現像装置２８の製造方法について説明する。
まず、図６（ａ），（ｂ）に示す凹部５３Ａ内に、供給ローラ用シール６０（図２参照）を供給ローラ３３とともに取り付ける。その後、図７（ａ），（ｂ）に示すように、サイドシール２００を、突起５４および壁部５５に当接させて位置決めしながら、筐体５０に取り付ける。
【００６２】
詳しくは、サイドシール２００の突出部２２２の左右方向内側の面を突起５４に当接させるとともに、突出部２２２の回転方向下流側の面を壁部５５に当接させることで、位置決めを行う。次いで、図８（ａ），（ｂ）に示すように、ブレード裏シール３６を筐体５０のうち開口５２の上部に両面テープＴＰで貼り付ける。詳しくは、ブレード裏シール３６の左右方向の端部である第２部位３６Ｄを、サイドシール２００の回転方向下流側の端部である第４ベース部２２１Ｄの左右方向内側の面に接触させた状態で、ブレード裏シール３６を筐体５０に貼り付ける。
【００６３】
その後、図９に示すように、層厚規制ブレード１００を筐体５０に取り付ける。この際、サイドシール２００とブレード裏シール３６は、層厚規制ブレード１００と筐体５０との間で圧縮される。この際、図５（ａ）に示すように、ブレード裏シール３６の第２部位３６Ｄに両面テープＴＰが設けられていないことから、第２部位３６Ｄは、両面テープＴＰで拘束されることなく、左右方向に自由に変形することが可能となっている。これにより、層厚規制ブレード１００と筐体５０との間で圧縮される第２部位３６Ｄは、左右方向外側に変形して、サイドシール２００の第４ベース部２２１Ｄに強く圧着される。そのため、サイドシール２００とブレード裏シール３６とのつなぎ目の隙間を無くすことができる。
【００６４】
その後、サイドエッジシール１４０を、層厚規制ブレード１００のブレード本体１１０およびサイドシール２００上に貼り付ける。そして、筐体５０にその他の部品を適宜組み付けることで、現像装置２８が製造される。
【００６５】
以上のように構成された現像装置２８の作用効果について説明する。
現像装置２８に駆動力を入力すると、現像ローラ３１は、サイドシール２００、ブレードゴム部１２０およびサイドエッジシール１４０に接触しながら回転する。
【００６６】
これにより、図５（ｃ）に示すように、サイドシール２００の表層２１０上の潤滑剤が左右方向内側に移動して、突出部２２２上に供給される。突出部２２２上に供給された潤滑剤は、トナーと混ざり合い、トナーと潤滑剤の混合物が突出部２２２上に形成される。これにより、混合物が壁となって、ブレードゴム部１２０で掻き取られたトナーがサイドシール２００側に勢いよく移動するのを抑えることができるので、トナーが外部に漏れるのを抑制することができる。
【００６７】
特に、本実施形態では、ブレードゴム部１２０の左右方向の各端部に切欠部１２１（図５（ｂ）参照）が形成されているため、この切欠部１２１のエッジ部１２３Ａで現像ローラ３１上のトナーがブレードゴム部１２０の他部よりも多量に掻き取られ、掻き取られた多量のトナーがエッジ部１２３Ａに沿ってサイドシール２００に向けて勢いよく流れるので、上記した構成が有効である。
【００６８】
以上、本実施形態によれば、前述した効果に加え、以下のような効果を得ることができる。
サイドシール２００の突出部２２２の左右方向の位置を突起５４で正確に位置決めすることで、突出部２２２がエッジ部１２３Ａに重なる量を正確に管理することができる。そして、このように突出部２２２とエッジ部１２３Ａの重なり量を正確に管理することで、突出部２２２上で生成される潤滑剤とトナーの混合物の量を適正な量にすることができるので、エッジ部１２３Ａ付近でのトナーの流動性の向上とトナー漏れ抑制の両立を図ることができる。
【００６９】
突起５４が、突出部２２２の回転方向上流側の端縁よりも回転方向下流側の端縁の近くに位置することで、エッジ部１２３Ａ付近において突起５４で突出部２２２を位置決めすることができるので、エッジ部１２３Ａ付近でのトナーの流動性の向上とトナー漏れ抑制の効果をより発揮することができる。
【００７０】
繊維ＦＢが、ベースシート２１２の左右方向内側の端縁よりも左右方向内側へ突出して突出部２２２に重なることで、潤滑剤を繊維ＦＢに沿って突出部２２２上に移動させることができるので、突出部２２２上で混合物を良好に生成することができる。
【００７１】
ベースシート２１２がブレードゴム部１２０よりも左右方向外側に位置するので、現像ローラ３１のうち、サイドシール２００から圧力を受ける部分と、ブレードゴム部１２０から圧力を受ける部分とをずらすことができる。このようにサイドシール２００から圧力を受ける部分と、ブレードゴム部１２０から圧力を受ける部分とをずらすことで、現像ローラ３１の表面（ブレードゴム部１２０の端面１２２付近の部分）の温度上昇を防ぐことができるので、温度上昇によるトナーの溶融を防ぐことができる。また、溶融したトナーがブレードゴム部１２０上に固着することを防ぐことができる。
【００７２】
突出部２２２と現像ローラ３１との間において、突出部２２２と重なる繊維ＦＢによって混合物を保持することができるので、例えば突出部２２２上にベースシート２１２および繊維層２１１を重ねて配置する構造に比べ、ベースシート２１２および接着層２３０がない分、混合物に加わる圧力を小さくすることができる。そして、このように混合物に加わる圧力を小さくすることで、混合物のトナーが溶融することを防ぐことができる。さらに、溶融したトナーがブレードゴム部１２０上に固着することを防ぐことができる。
【００７３】
繊維ＦＢの先端が、エッジ部１２３Ａの左右方向内側の端部よりも左右方向外側に位置するので、繊維ＦＢの先端で保持された混合物によってトナーの流動性が妨げられるのを抑えることができる。
【００７４】
繊維ＦＢの先端が、突出部２２２の左右方向内側の面よりも左右方向外側に位置するので、繊維ＦＢの先端で保持された混合物によってトナーの流動性が妨げられるのをより抑えることができる。
【００７５】
左右方向の最も内側に位置する繊維ＦＢの先端が、突出部２２２の左右方向の中央よりも左右方向内側に位置するので、突出部２２２上において繊維ＦＢで保持される混合物を大きくすることができる。
【００７６】
繊維ＦＢが、回転方向下流側に向かうにつれて左右方向内側に位置するように、回転方向に対して傾斜することで、現像ローラ３１の回転によって潤滑剤を各繊維ＦＢに沿って左右方向内側に移動させることができるので、突出部２２２上において良好に混合物を生成することができる。
【００７７】
なお、本発明は前記実施形態に限定されることなく、以下に例示するように様々な形態で利用できる。以下の説明においては、前記実施形態と略同様の構造となる部材には同一の符号を付し、その説明は省略する。
【００７８】
前記実施形態では、一部の繊維ＦＢを突出部２２２上に重ねたが、本発明はこれに限定されず、繊維ＦＢを突出部２２２よりも左右方向外側に配置してもよい。
【００７９】
前記実施形態では、左右方向の最も内側に位置する繊維ＦＢの先端をエッジ部１２３Ａの左右方向内側の端部よりも左右方向外側に配置したが、本発明はこれに限定されるものではない。例えば、左右方向の最も内側に位置する繊維の先端を、エッジ部の左右方向内側の端部と左右方向で同じ位置、または、エッジ部の左右方向内側の端部よりも左右方向内側に配置してもよい。
【００８０】
前記実施形態では、左右方向の最も内側に位置する繊維ＦＢの先端を突出部２２２の左右方向内側の面よりも左右方向外側に配置したが、本発明はこれに限定されるものではない。例えば、左右方向の最も内側に位置する繊維の先端を、突出部の左右方向内側の面と左右方向で同じ位置、または、突出部の左右方向内側の面よりも左右方向内側に配置してもよい。
【００８１】
前記実施形態では、左右方向の最も内側に位置する繊維ＦＢの先端を突出部２２２の左右方向の中央よりも左右方向内側に配置したが、本発明はこれに限定されるものではない。例えば、左右方向の最も内側に位置する繊維を、突出部の左右方向の中央と左右方向で同じ位置、または、突出部の左右方向の中央よりも左右方向外側に配置してもよい。
【００８２】
前記実施形態では、表層２１０を繊維層２１１とベースシート２１２とで構成したが、本発明はこれに限定されず、例えば、表層を、不織布や織物などで構成してもよい。
【００８３】
前記実施形態では、突出部２２２を、エッジ部１２３Ａの左右方向内側の端部よりも左右方向外側に配置したが、本発明はこれに限定されるものではない。例えば、突出部の左右方向内側の面を、エッジ部１２３Ａの左右方向内側の端部と左右方向で同じ位置、または、エッジ部１２３Ａの左右方向内側の端部よりも左右方向内側に配置してもよい。
【００８４】
前記実施形態では、現像ローラ３１やトナー収容室３４などを備えた現像装置２８に本発明を適用したが、本発明はこれに限定されるものではない。例えば、現像カートリッジとドラムユニットが一体に構成されたプロセスカートリッジや、トナーを収容するトナーカートリッジとは別体に構成され、当該トナーカートリッジからトナーが供給される現像器などの他の現像装置に本発明を適用してもよい。
【００８５】
なお、前記した実施形態および変形例で説明した各要素を、任意に組み合わせて実施してもよい。
【符号の説明】
【００８６】
２８    現像装置
３１    現像ローラ
５０    筐体
５４    突起
１００  層厚規制ブレード
１１０  ブレード本体
１２０  ブレードゴム部
１２１  切欠部
２００  サイドシール
２１０  表層
２２０  基層
２２２  突出部
２３０  接着層
【図１】
2018060033.tif 000003
【図２】
2018060033.tif 000004
【図３】
2018060033.tif 000005
【図４】
2018060033.tif 000006
【図５】
2018060033.tif 000007
【図６】
2018060033.tif 000008
【図７】
2018060033.tif 000009
【図８】
2018060033.tif 000010
【図９】
2018060033.tif 000011